(57)【特許請求の範囲】
【請求項１】
シャーシケース内でディスクトレイを前進後退させて記録媒体とともにロード／アンロードを行うようにし、アンロードによりシャーシケースからディスクトレイが引き出されたとき、該ディスクトレイの後端部と前記シャーシケースの開口部との間に間隙が形成されるディスク装置において、
前記ディスクトレイがロードされたことを検知する第１の検出スイッチと第２の検出スイッチを、その作動方向に対して段違いとなるようにディスクトレイの配線基板に配設したことを特徴とするディスク装置。
【請求項２】
シャーシケース内でディスクトレイを前進後退させて記録媒体とともにロード／アンロードを行うようにし、アンロードによりシャーシケースからディスクトレイが引き出されたとき、該ディスクトレイの後端部と前記シャーシケースの開口部との間に間隙が形成されるディスク装置において、
前記ディスクトレイがロードされた状態であることを検知する検出スイッチをディスクトレイに実装された配線基板に設けるにあたり、この検出スイッチがディスクトレイの後端部で覆蔽されて装置外部の空間から遮蔽される位置に配設するようにしたことを特徴とするディスク装置。
【発明の詳細な説明】
【０００１】
【発明の属する技術分野】
本発明は、各種コンピュータシステムなどにおいて大量の情報を記録する記録媒体としての光ディスク（例えば、ＣＤ−Ｒ／ＲＷ、ＤＶＤ−Ｒ／ＲＷなど）をドライブするディスク装置に関するものである。
【０００２】
【従来の技術】
一般に、パーソナルコンピュータ（以下、パソコンという）は、光ディスクへ情報の記録再生を行うため、ディスク装置を欠かすことができず、パソコン本体に内蔵するか、いわゆる外付けとしてケーブルで接続するようにしている。
【０００３】
図４はディスク装置を内蔵したノート型パソコンの外観を示すもので、通常、ディスク装置Ｄはパソコン本体の側部に内蔵され、スイッチ操作あるいはパソコンからの指令によりディスクトレイ１０１のベゼル１０２の部分がポップアウトし、さらにパソコンの使用者がディスクトレイ１０１を引き出し、光ディスクを装填するようにしている。
【０００４】
このようなディスク装置Ｄは、図５に示すごとくディスクトレイ１０１の中央に、直下に配したスピンドルモータの駆動軸に固定されたターンテーブル１０３が配置され、このターンテーブルで光ディスクの中心孔をクランプし、回転力を伝達するようにしている。また、光ピックアップを主体に構成したヘッドユニット１０４は、ディスクトレイに形成されたスリット１０１ａ 内を半径方向に往復動し、光ディスクへの情報の記録再生を行うようにしている。
【０００５】
そして、このように構成されているディスクトレイ１０１は、ガイドレール１０５に案内されてシャーシケース１０６内に収まる。なお、ディスクトレイ１０１のベゼル１０２は、通常、その舌片１０２ａをディスクトレイ本体に差し込んで嵌め込み固定され、更に必要に応じてネジ止めするようにしている。
【０００６】
【発明が解決しようとする課題】
このように構成されたディスク装置は、通常、固定部となるシャーシケース１０６はパソコン本体に取り付けられ、このシャーシケース１０６内を可動部となるディスクトレイ１０１が前進後退する。したがって、シャーシケース１０６の開口部がパソコン本体の側壁に臨んでいる状態となることから、図５に示すごとくシャーシケース１０６の開口部１０６ａとディスクトレイ１０１の後端部１０１ａとの間に間隙Ｇが形成されてしまうことになる。
【０００７】
ところで、図５に示すような形態のディスク装置は、アンロードによりディスクトレイ１０１がパソコン本体から引き出された瞬間にこれを検知する検出スイッチ１０８が図６に示すごとく、ディスクトレイ１０１に実装した配線基板１０７に配設されており、この検出スイッチ１０８からの信号にもとづいてディスクトレイ１０１の駆動状態の認識、あるいはディスクトレイに実装された配線基板のマイクロコンピュータへの電源の遮断を行い、装置の安全性を高めるようにしている。
【０００８】
ところが、光ディスクをディスクトレイに装填してロードする際、このディスクトレイを図５のようにすべて引き出すと、前述したごとく間隙Ｇが生ずることになる。このような状態は、装置が外因による危険を受け易い状態にあり、安全に対する対応を要するものであった。
【０００９】
即ち、例えば紙片などの異物が前記間隙Ｇに入り込み、前記検出スイッチ１０８を作動してしまうようなことがある。このようなことになると、ディスクトレイ１０１はアンロードされているにも拘わらず、強制的にロードされた状態となり、ターンテーブル１０３やヘッドユニット１０４が駆動されることになる。
【００１０】
本発明は、かかる従来の問題に鑑みなされたもので、ディスクトレイがシャーシケースから引き出されたとき、ディスクトレイの後端部とシャーシケースの開口部との間に間隙が形成されるディスク装置において、ディスクトレイが引き出され、構造的に危険な状態に至ってもその安全性を保つようにしたもので、ディスクトレイの誤動作を未然に防止できるようにしたものである。
【００１１】
【課題を解決するための手段】
そこで本発明は、以下に述べる各手段により上記課題を解決するようにした。即ち、請求項１記載の発明では、シャーシケース内でディスクトレイを前進後退させて記録媒体とともにロード／アンロードを行うようにし、アンロードによりシャーシケースからディスクトレイが引き出されたとき、該ディスクトレイの後端部と前記シャーシケースの開口部との間に間隙が形成されるディスク装置において、前記ディスクトレイがロードされた状態であることを検知する第１の検出スイッチと第２の検出スイッチを、その作動方向に対して段違いとなるようにディスクトレイの配線基板に配設する。
【００１２】
請求項２記載の発明では、シャーシケース内でディスクトレイを前進後退させて記録媒体とともにロード／アンロードを行うようにし、アンロードによりシャーシケースからディスクトレイが引き出されたとき、該ディスクトレイの後端部と前記シャーシケースの開口部との間に間隙が形成されるディスク装置において、前記ディスクトレイがロードされた状態であることを検知する検出スイッチをディスクトレイに実装された配線基板に設けるにあたり、この検出スイッチがディスクトレイの後端部で覆蔽されて装置外部の空間から遮蔽される位置に配設する。
【００１３】
【発明の実施の形態】
以下、本発明の実施の形態を図にもとづいて詳細に説明する。なお、以下に説明する実施例は、ディスク装置をパソコン本体に内蔵した構成を前提とするものであるが、本発明はこれに限らず、外付け形式のディスク装置にも実施を可能とするものである。
【００１４】
図１は本発明を実施したディスク装置であり、ディスクトレイ１の底面から金属薄板で成型したシールドカバーを取り外した状態を示したもので、このディスクトレイ１はガイドレール２に案内されてシャーシケース３内でロードまたはアンロードされる。
【００１５】
このディスクトレイ１には半導体集積回路などの電子部品を備える配線基板４が実装されており、中央部には光ディスクおよびヘッドユニットを駆動するための駆動系ユニットＡが配置され、前端の角隅部にはディスクトレイのイジェクト／ロック機構Ｂが配設されている。
【００１６】
つぎに、前記配線基板４の後端部には第１の検出スイッチ５および第２の検出スイッチ６が、該スイッチの作動方向（奥行方向）に対して同図に示すごとく段違いに取り付けられている。そして、ディスクトレイ１がシャーシケース３に押し込まれ、イジェクト／ロック機構Ｂによりロックされたとき、前記第１、第２の検出スイッチ５・６を作動する作動片７が図２に示すごとくシャーシケース３の後端部の内壁に固定されている。
【００１７】
符号８はディスクトレイ１の側部に組み込まれたダンパー部材であり、ディスクトレイ１をシャーシケース３に押し込んだとき、その尖端８ａがシャーシケース３の内側壁３ａと摺接するようにしたもので、特にディスクトレイの横ブレを緩衝するようにしてディスクトレイの操作感覚を向上するようにしたものである。なお、本実施例におけるダンパー部材８は、その主体部を蛇行させて成形してあるので、大きな緩衝効果を得ることができる。
【００１８】
前記第１、第２の検出スイッチ５・６は、各々の２極接点が直列となるように結線されており、両方の検出スイッチが作動されているときのみ回路が導通の状態となり、両方または片方の検出スイッチが作動されていないときは回路が非導通の状態となる。
【００１９】
図３は、第１、第２の検出スイッチ５・６の作動態様を説明するための図であり、図３（Ａ）はディスクトレイ１がアンロードされ、第１、第２の検出スイッチ５・６が作動片７から開放された状態であり、したがって、第１、第２の検出スイッチ５・６が開成しているため、回路は非導通の状態にある。また、図３（Ｂ）はディスクトレイ１がロードされ、作動片７の作用により第１、第２の検出スイッチ５・６が閉成されて回路が導通している状態を示す。
【００２０】
また、図３（Ｃ）は紙片などの異物Ｐが間隙Ｇから挿入された状態を示すもので、異物Ｐは第１の検出スイッチ５を作動しているが、異物Ｐは検出スイッチ５本体によりそれ以上の進入が阻止されるので、第２の検出スイッチ６を作動することがない。したがって、回路は依然、非導通の状態を維持することができるため、ディスクトレイ１がアンロードされている状態において、このディスクトレイの回路系への安全を確保することができる。
【００２１】
このように、本願発明の構成によれば、第１の検出スイッチ５または第２の検出スイッチ６の少なくとも一方を、ディスクトレイ１の後端で覆蔽し、さらに配線基板４の後端でも覆蔽される位置に配設するようにした結果、該スイッチはディスクトレイ１と配線基板４との間でその外観を全く現さないように実装されることになるので装置外部の空間から遮蔽され、第１、第２の検出スイッチ５・６は正常な作動以外で誤って作動されることがない。
【００２２】
なお、上記実施例において、第１、第２の検出スイッチ５・６を直列接続した構成を例示したが、これに限らず、例えば、第１、第２の検出スイッチ５・６の一方をディスク装置の制御用マイコンに接続し、他方をレーザーパワー電源ラインおよびスピンドルモータ電源ラインに接続するようにしてもよい。
【００２３】
【発明の効果】
以上、詳細に説明したごとく本発明によれば、請求項１の構成によりディスクトレイへの電路の遮断を、段違いに配置した第１の検出スイッチと第２の検出スイッチで行うようにしたので、異物により誤って回路が導通することがなく、安全性、信頼性の高いディスク装置とすることができる。
【００２４】
また、請求項２の構成によれば、この第１の検出スイッチ、第２の検出スイッチをディスクトレイで覆蔽するようにしたので、例えば、幼児などによる悪戯を誘引するようなことがない。
【図面の簡単な説明】
【図１】本発明を実施したディスク装置の底面を示す平面図である。
【図２】本発明のディスク装置の斜視図である。
【図３】本発明の検出スイッチの作動の態様を示す図である。
【図４】ノート型パソコンを示す斜視図である。
【図５】ディスク装置の構成を示す斜視図である。
【図６】従来のディスク装置における検出スイッチの配置状態を示す図である。
【符号の説明】
１・・・・・・ディスクトレイ
２・・・・・・ガイドレール
３・・・・・・シャーシケース
４・・・・・・配線基板
５・・・・・・第１の検出スイッチ
６・・・・・・第２の検出スイッチ
７・・・・・・作動片
【図１】
0003852360.tif 000002
【図２】
0003852360.tif 000003
【図３】
0003852360.tif 000004
【図４】
0003852360.tif 000005
【図５】
0003852360.tif 000006
【図６】
0003852360.tif 000007